(57)【特許請求の範囲】
【請求項１】
計測対象機器の消費電力量を所定のタイミング毎に計測し、計測した消費電力量を計測のタイミングと対応付けた情報を生成する計測生成部と、
前記消費電力量に影響を及ぼす前記計測対象機器の状態の変更が発生し、前記変更の内容を示す情報の入力が行われると、前記入力された変更の内容を示す情報を取得する取得部と、
前記取得部により取得された前記変更の内容を示す情報を、前記入力のタイミングと対応付けた情報を生成する対応生成部と、
前記計測生成部によって生成された前記計測のタイミングと前記消費電力量とが対応付けられた情報、および前記対応生成部によって生成された前記入力のタイミングと前記変更の内容を示す情報とが対応付けられた情報を記憶する不揮発性メモリからなる記憶部と、
前記記憶部に記憶された情報を、外部の装置からの要求に応じて、その外部の装置へ出力する出力部と、を備え、
前記変更の内容を示す情報は、前記計測対象機器の保守により生じた変更の内容を示す情報である、
計測装置。
【請求項２】
前記取得部は、前記変更の内容を示す情報の入力を受け付ける受付部、
を備える請求項１に記載の計測装置。
【請求項３】
前記取得部は、前記変更の内容を示す情報を外部の装置から受信する受信部、
を備える請求項１または２に記載の計測装置。
【請求項４】
前記変更の内容を示す情報は、前記計測対象機器の動作を制御するコンピュータのプログラムの変更を示す情報である、
請求項１から３のいずれか１項に記載の計測装置。
【請求項５】
前記出力部により出力された情報を取得し、前記消費電力量と前記変更の内容を示す情報とを前記タイミングに従って対応付けて表示する表示部、
を備える請求項１から４のいずれか１項に記載の計測装置。
【請求項６】
計測対象機器の消費電力量を計測する計測装置が、前記消費電力量を所定のタイミング毎に計測し、計測した消費電力量を計測のタイミングと対応付けた情報を生成する計測生成ステップと、
前記計測装置が、前記消費電力量に影響を及ぼす前記計測対象機器の状態の変更が発生し、前記変更の内容を示す情報の入力が行われると、前記入力された変更の内容を示す情報を取得する取得ステップと、
前記計測装置が、前記取得ステップにより取得された前記変更の内容を示す情報を、前記入力のタイミングと対応付けた情報を生成する対応生成ステップと、
前記計測装置が、前記計測生成ステップによって生成された前記計測のタイミングと前記消費電力量とが対応付けられた情報、および前記対応生成ステップによって生成された前記入力のタイミングと前記変更の内容を示す情報とが対応付けられた情報を不揮発性メモリに記憶する記憶ステップと、
前記計測装置が、前記記憶ステップで前記不揮発性メモリに記憶された情報を、外部の装置からの要求に応じて、その外部の装置へ出力する出力ステップと、を含み、
前記変更の内容を示す情報は、前記計測対象機器の保守により生じた変更の内容を示す情報である、
計測方法。
【請求項７】
計測対象機器の消費電力量を計測する計測装置を制御するコンピュータに、
前記消費電力量を所定のタイミング毎に計測し、計測した消費電力量を計測のタイミングと対応付けた情報を生成する計測生成機能、
前記消費電力量に影響を及ぼす前記計測対象機器の状態の変更が発生し、前記変更の内容を示す情報の入力が行われると、前記入力された変更の内容を示す情報を取得する取得機能、
前記取得機能により取得された前記変更の内容を示す情報を、前記入力のタイミングと対応付けた情報を生成する対応生成機能、
前記計測生成機能によって生成された前記計測のタイミングと前記消費電力量とが対応付けられた情報、および前記対応生成機能によって生成された前記入力のタイミングと前記変更の内容を示す情報とが対応付けられた情報を不揮発性メモリに記憶する記憶機能、
前記記憶機能で前記不揮発性メモリに記憶された情報を、外部の装置からの要求に応じて、その外部の装置へ出力する出力機能、を実現させ、
前記変更の内容を示す情報は、前記計測対象機器の保守により生じた変更の内容を示す情報である、
プログラム。
【発明の詳細な説明】
【技術分野】
【０００１】
本発明は、計測装置、計測方法およびプログラムに関する。
【背景技術】
【０００２】
計測対象機器の消費電力量を所定のタイミング毎に計測して、計測対象機器の消費電力量の変動を表示するものとして、特許文献１に記載の電力監視システムがある。
【０００３】
この電力監視システムは、端末装置に対する所定の操作がユーザによって行われると、例えばエアコンの消費電力量の変動を、端末装置の表示画面に表示する。具体的には、電力監視システムは、エアコンにおける、端末装置の操作時点を含む一定期間（例えば今日、今月又は今年）の消費電力量と、過去の一定期間（例えば昨日、先月又は去年）の消費電力量とを、端末装置の表示画面に表示する。この表示により、ユーザは、エアコンの消費電力量の変動を把握することができる。
【先行技術文献】
【特許文献】
【０００４】
【特許文献１】特開２００８−２０２９８５号公報
【発明の概要】
【発明が解決しようとする課題】
【０００５】
特許文献１に記載の電力監視システムは、異なる２つの期間のエアコンの消費電力量を表示するに留まる。よって、この電力監視システムを、ビル等に設置されるエアコンシステムに応用した場合、次の問題点が生じる。即ち、エアコンシステムの保守等に伴い、例えば、ある作業者が、エアコンの空調機の動作を制御するコンピュータのプログラムを変更し、その後、空調機の洗浄を行って、後日、それらの影響を、具体的には、どの要因がどの程度の消費電力量の変動をもたらすのかを、別の作業者が把握する場合、別の確認者は、把握に先立ち、先の作業者が行った変更の内容や変更のタイミング等を確認しなければならない。よって、消費電力量の変動の要因を把握するまでの作業が煩雑であるという問題点があった。
【０００６】
本発明は、上記実情に鑑みてなされたものであり、消費電力量の変動の要因の把握を容易にする計測装置、計測方法およびプログラムを提供することを目的とする。
【課題を解決するための手段】
【０００７】
上記目的を達成するために、本発明に係る計測装置の計測生成部は、計測対象機器の消費電力量を所定のタイミング毎に計測し、計測した消費電力量を計測のタイミングと対応付けた情報を生成する。取得部は、消費電力量に影響を及ぼす計測対象機器の状態の変更が発生し、変更の内容を示す情報の入力が行われると、入力された変更の内容を示す情報を取得する。対応生成部は、取得部により取得された変更の内容を示す情報を、入力のタイミングと対応付けた情報を生成する。不揮発性メモリからなる記憶部は、計測生成部によって生成された計測のタイミングと消費電力量とが対応付けられた情報、および対応生成部によって生成された入力のタイミングと変更の内容を示す情報とが対応付けられた情報を記憶する。出力部は、記憶部に記憶された情報を、外部の装置からの要求に応じて、その外部の装置へ出力する。変更の内容を示す情報は、計測対象機器の保守により生じた変更の内容を示す情報である。
【発明の効果】
【０００８】
本発明によれば、消費電力量の変動の要因の把握を容易にする。
【図面の簡単な説明】
【０００９】
【図１】本発明の実施の形態１に係る電力計測システムの接続図である。
【図２】電力計測装置のブロック図である。
【図３】コントローラのブロック図である。
【図４】表示部に表示された画面の図である。
【図５】本発明の実施の形態２に係る電力計測システムの接続図である。
【図６】実施の形態２に係る電力計測装置のブロック図である。
【発明を実施するための形態】
【００１０】
（実施の形態１）
以下、本発明の実施の形態１に係る電力計測システム１００は、図１に示すように、引込み線７を介して電力線４に接続される空調機２と、空調機２のユーザによる操作を媒介するコントローラ６と、を有している。
【００１１】
空調機２は、空調機２ａ，２ｂから構成される。空調機２ａ，２ｂは、エアコンシステムの一部であり、例えば、屋内に設置されるエアコンの室外機である。空調機２ａ，２ｂは、三相３線式の三相交流電源に接続された電力線４に、引込み線７を介して接続されている。詳細には、空調機２ａ，２ｂは、三相交流電源のＲ相に接続された電力線４ａに引込み線７ａを介して接続され、三相交流電源のＳ相に接続された電力線４ｂに引込み線７ｂを介して接続され、三相交流電源のＴ相に接続された電力線４ｃに引込み線７ｃを介して接続されている。空調機２ａ，２ｂは、引込み線７ａ〜７ｃによって供給される三相交流電源を利用して動作する。
【００１２】
この引込み線７ａ〜７ｃには、空調機２ａ，２ｂのそれぞれに内蔵された制御基板５が接続されている。それぞれの制御基板５は、空調機２ａ，２ｂのそれぞれに供給される三相交流電源からの電流を制御することで、空調機２ａ，２ｂのそれぞれの動作を制御するコンピュータを有する。それぞれの制御基板５には、コントローラ６に接続された制御用伝送線３が接続されている。この制御用伝送線３により、それぞれの制御基板５には、コントローラ６から出力された操作信号が入力される。この操作信号に従って、制御基板５のコンピュータは、空調機２ａ，２ｂを動作させる。なお、制御用伝送線３には、制御用伝送線３に接続される機器への給電用の直流電圧が印加されている。
【００１３】
コントローラ６は、制御用伝送線３を介して、空調機２ａ，２ｂの制御基板５に接続されている。コントローラ６は、例えば、ユーザによる操作を媒介するキーボードを有する。コントローラ６は、ユーザによる操作を受け付けると、操作に応じた操作信号を生成し、その操作信号を空調機２ａ，２ｂの制御基板５へ出力する。
【００１４】
ここで、コントローラ６は、空調機２ａ，２ｂの消費電力量の推移に加え、空調機２ａ，２ｂに発生したイベント（消費電力量に影響を及ぼす計測対象機器の状態の変更、具体的には、例えば、空調機２ａを洗浄した、或いは、空調機２ｂに内蔵されるコンプレッサを交換した等の保守により生じた状態の変更）の内容を、イベントの発生日時と共に表示する。よって、ユーザは、空調機２ａ，２ｂの消費電力量がどのイベントによりどの程度変動したかを確認することができる。
【００１５】
空調機２ａ，２ｂのそれぞれに接続される引込み線７ａ〜７ｃには、電圧用導線１１を介して、電力計測装置１が接続されている。また、空調機２ａ，２ｂのそれぞれに接続される引込み線７ａ，７ｃには、電流用導線１２を介して、電力計測装置１が接続されている。
【００１６】
電力計測装置１は、電圧用導線１１を介して、引込み線７ａ〜７ｃに印加されている電圧を所定のタイミング毎（例えば、０．１ｍｓ毎）に計測する。これにより、電力計測装置１は、引込み線７ａと引込み線７ｂとの間に印加されている線間電圧（Ｒ相とＳ相との間の電圧）Ｖ_ＲＳを計測すると共に、引込み線７ｂと引込み線７ｃとの間に印加されている線間電圧（Ｓ相とＴ相との間の電圧）Ｖ_ＳＴを計測する。
【００１７】
また、電力計測装置１は、電流用導線１２を介して、所定のタイミング毎（例えば、０．１ｍｓ毎）に、引込み線７ａから空調機２ａ（或いは空調機２ｂ）に流れ込む電流（消費電流）ＩＲを計測すると共に、引込み線７ｃから空調機２ａ（或いは空調機２ｂ）に流れ込む電流（消費電流）ＩＴを計測する。
【００１８】
そして、電力計測装置１は、消費電流ＩＲと線間電圧Ｖ_ＲＳとの積の、三相交流電源の１周期分（例えば、線間電圧Ｖ_ＲＳの１周期分）の和を求めると共に、消費電流ＩＴと線間電圧Ｖ_ＳＴとの積の、三相交流電源の１周期分（例えば、線間電圧Ｖ_ＳＴの１周期分）の和を求め、それらの和を加算する。その後、電力計測装置１は、加算した値を、三相交流電源の１周期のサンプリング数で除算することで、空調機２ａ，２ｂのそれぞれの瞬時電力を求める。そして、電力計測装置１は、求めた瞬時電力を所定期間積算することで、空調機２ａ，２ｂのそれぞれの消費電力量を計測する。
【００１９】
この電力計測装置１は、図２に示すように、電源部１３と、電圧部１４と、電流部１５と、アナログ−デジタル変換部（以後、「Ａ／Ｄ変換部」と称す）１６と、演算制御部１７と、イベント入力部１８と、記憶部１９と、計時部２０と、絶縁回路２１と、通信部２２と、給電部２３と、を備えている。
【００２０】
電源部１３は、三相交流電源から供給される交流電力を用いて直流電力を生成し、生成した直流電力を各部１４〜２０へ供給する。電源部１３は、２つの入力端子のうちの一方の入力端子が電圧用導線１１ａに接続され、２つの入力端子のうちの他方の入力端子が電圧用導線１１ｂに接続されている。この入力端子の接続により、電源部１３は、入力した線間電圧Ｖ_ＲＳを、例えばダイオードを用いて整流し、例えばＤＣ−ＤＣコンバータで降圧することで、直流電力を生成する。
【００２１】
電圧部１４は、電圧用導線１１ａが引込み線７ａに接続され、電圧用導線１１ｂが引込み線７ｂに接続され、電圧用導線１１ｃが引込み線７ｃに接続されている。また、電圧部１４は、２つの出力端子がＡ／Ｄ変換部１６の入力端子に接続されている。
【００２２】
電圧部１４は、引込み線７ａに印加される電圧Ｖ_Ｒ、引込み線７ｂに印加される電圧Ｖ_Ｓおよび引込み線７ｃに印加される電圧Ｖ_Ｔを計測し、測定した電圧Ｖ_Ｒと電圧Ｖ_Ｓとから線間電圧Ｖ_ＲＳを求めると共に、測定した電圧Ｖ_Ｓと電圧Ｖ_Ｔとから線間電圧Ｖ_ＳＴを求める。そして、電圧部１４は、求めた線間電圧Ｖ_ＲＳおよび線間電圧Ｖ_ＳＴを分圧することで、Ａ／Ｄ変換部１６に入力可能な電圧値まで線間電圧Ｖ_ＲＳおよび線間電圧Ｖ_ＳＴを降圧する。その後、電圧部１４は、降圧した線間電圧Ｖ_ＲＳおよび線間電圧Ｖ_ＳＴをＡ／Ｄ変換部１６へ出力する。
【００２３】
電流部１５は、電流用導線１２ａが引込み線７ａを囲むカレントトランスに接続され、電流用導線１２ｃが引込み線７ｃを囲むカレントトランスに接続されている。また、電流部１５は、２つの出力端子がＡ／Ｄ変換部１６の入力端子に接続されている。なお、カレントトランスとは、一次導体および二次導体を有する環状の電流変成器である。
【００２４】
電流部１５は、引込み線７ａを流れる電流に応じてカレントトランスに発生した電圧を、電流用導線１２ａを介して計測することで、引込み線７ａを流れる電流ＩＲを間接的に測定する、また、電流部１５は、引込み線７ｃを流れる電流に応じてカレントトランスに発生した電圧を、電流用導線１２ｃを介して計測することで、引込み線７ｃを流れる電流ＩＴを間接的に測定する。そして、電流部１５は、計測した電圧を分圧することで、Ａ／Ｄ変換部１６に入力可能な電圧値まで、計測した電圧を降圧する。その後、電流部１５は、降圧した電圧をＡ／Ｄ変換部１６へ出力する。
【００２５】
Ａ／Ｄ変換部１６は、例えば、ΔΣ（デルタシグマ）変調を用いたΔΣＡ／Ｄコンバータである。Ａ／Ｄ変換部１６は、４つの入力端子が電圧部１４および電流部１５に接続されている。具体的には、Ａ／Ｄ変換部１６は、２つの入力端子が電圧部１４の出力端子に接続され、残り２つの入力端子が電流部１５の出力端子に接続されている。また、Ａ／Ｄ変換部１６は、４つの出力端子が演算制御部１７の入力端子に接続されている。
【００２６】
Ａ／Ｄ変換部１６は、電圧部１４から出力される分圧後の線間電圧Ｖ_ＲＳ（瞬時値）および線間電圧Ｖ_ＳＴ（瞬時値）と電流部１５から出力される分圧後の電圧（引込み線７ａ，７ｃに流れる電流に応じて発生した電圧の瞬時値）とを、アナログ値からデジタル値に変換して演算制御部１７へ出力する。
【００２７】
なお、線間電圧Ｖ_ＲＳの瞬時値、線間電圧Ｖ_ＳＴの瞬時値、引込み線７ａに流れる電流に応じて発生した電圧の瞬時値および引込み線７ｃに流れる電流に応じて発生した電圧の瞬時値を、Ａ／Ｄ変換部１６で、アナログ値からデジタル値へ変換するサンプリングは、演算制御部１７からＡ／Ｄ変換部１６へ出力されるトリガ信号により制御される。なお、カレントトランスの電流変成器による影響により、引込み線７ａ，７ｃに流れる電流に応じて発生した電圧が、線間電圧Ｖ_ＲＳ，Ｖ_ＳＴに対して進み位相となることから、この進み位相を補正する場合には、Ａ／Ｄ変換部１６は、この進み位相分だけ、引込み線７ａ，７ｃに流れる電流に応じて発生した電圧の瞬時値のサンプリングを、線間電圧Ｖ_ＲＳの瞬時値および線間電圧Ｖ_ＳＴの瞬時値のサンプリングよりも、早くすればよい。サンプリング後の（デジタル信号となった）各値は、具体的には、線間電圧Ｖ_ＲＳの瞬時値、線間電圧Ｖ_ＳＴの瞬時値、引込み線７ａに流れる電流に応じて発生した電圧の瞬時値および引込み線７ｃに流れる電流に応じて発生した電圧の瞬時値は、Ａ／Ｄ変換部１６から出力され、演算制御部１７のＲＡＭ（Random Access Memory）に記憶される。
【００２８】
演算制御部１７は、ＣＰＵ（Central Processing Unit）、ＲＯＭ（Read Only Memory）、ＲＡＭを備え（いずれも不図示）、６個の入力端子が、Ａ／Ｄ変換部１６、イベント入力部１８および計時部２０に接続されている。具体的には、演算制御部１７は、４つの入力端子がＡ／Ｄ変換部１６に接続され、別の１つの入力端子がイベント入力部１８に接続され、残りの１つの入力端子が計時部２０に接続されている。また、演算制御部１７は、１つの入出力端子が記憶部１９に接続され、もう１つの入力端子が絶縁回路２１に接続されている。
【００２９】
演算制御部１７は、Ａ／Ｄ変換部１６から出力されＲＡＭ（不図示）に記憶された、線間電圧Ｖ_ＲＳの瞬時値と引込み線７ａに流れる電流ＩＲおよび線間電圧Ｖ_ＳＴの瞬時値と引込み線７ｃに流れる電流ＩＴから、空調機２ａ（或いは、空調機２ｂ）の消費電力量を求める。
【００３０】
具体的には、次のようにして、演算制御部１７は、空調機２ａ（或いは、空調機２ｂ）の消費電力量を求める。まず、演算制御部１７は、Ａ／Ｄ変換部１６から出力されＲＡＭ（不図示）に記憶された、引込み線７ａ，７ｃに流れた電流に応じて発生した電圧の瞬時値から、引込み線７ａに流れた電流ＩＲおよび引込み線７ｃに流れた電流ＩＴを求める。具体的には、演算制御部１７は、ＲＯＭ（不図示）に予め記憶されている変換係数（引込み線７ａ，７ｃに流れた電流に応じて発生した電圧の瞬時値を電流値に変換する係数）を用いて、引込み線７ａに流れた電流に応じて発生した電圧の瞬時値および引込み線７ｃに流れた電流に応じて発生した電圧の瞬時値を、電流値に変換することで、引込み線７ａに流れた電流ＩＲおよび引込み線７ｃに流れた電流ＩＴを求める。
【００３１】
次に、演算制御部１７は、引込み線７ａに流れた電流ＩＲと線間電圧Ｖ_ＲＳの瞬時値との同一時刻（同一のサンプルタイミング）の値を乗算する。そして、演算制御部１７は、この乗算値の、三相交流電源の１周期分（例えば、線間電圧Ｖ_ＲＳの１周期分）の和を求める。また、演算制御部１７は、引込み線７ｃに流れた電流ＩＴと線間電圧Ｖ_ＳＴの瞬時値との同一時刻（同一のサンプルタイミング）の値を乗算する。そして、演算制御部１７は、この乗算値の、三相交流電源の１周期分（例えば、線間電圧Ｖ_ＳＴの１周期分）の和を求める。その後、演算制御部１７は、これらの和を加算して、加算した値を、三相交流電源の１周期のサンプリング数で除算することで、空調機２ａ（或いは、空調機２ｂ）の瞬時電力を求める。そして、演算制御部１７は、求めた瞬時電力を所定期間積算することで、空調機２ａ（或いは、空調機２ｂ）の消費電力量を計測する。消費電力量を計測すると、演算制御部１７は、計時部２０から、消費電力量を計測したタイミングである日時を取得し、取得した日時と求めた消費電力量と空調機の名称とを対応付けて、対応付けた情報（生成した情報）を、記憶部１９に記憶する。演算制御部１７は、上述した処理を、例えば、１分が経過する毎に行う。
【００３２】
なお、演算制御部１７は、記憶部１９に記憶した情報（計測した消費電力量と消費電力量を計測した日時と空調機の名称とを対応付けた情報）を、コントローラ６から定期的に送信される要求コマンドに応じて、コントローラ６へ送信する。コントローラ６は、消費電力量と消費電力量を計測した日時と空調機の名称とが対応付けられた情報を受信すると、その情報を記憶する。
【００３３】
また、演算制御部１７は、例えば、空調機２ａ（或いは空調機２ｂ）の洗浄を行った、或いは、空調機２ａ（或いは空調機２ｂ）に内蔵されたコンプレッサの交換を行った等のイベントの発生に基づいて、空調機２ａ（或いは空調機２ｂ）に発生したイベントの内容を示す情報（変更の内容を示す情報）の入力が、イベント入力部１８を介してユーザにより行われた場合、入力されたイベントの内容を示す情報を、計時部２０で計時されている日時（入力のタイミング）および空調機の名称に対応付ける。そして、演算制御部１７は、対応付けた情報（生成した情報）を、記憶部１９に記憶すると共に、通信部２２を介してコントローラ６へ送信する。コントローラ６は、イベントの内容を示す情報と入力の日時と空調機の名称とが対応付けられた情報を受信すると、その情報を記憶する。
【００３４】
なお、コントローラ６は、受信して記憶した情報（イベントの内容を示す情報と入力の日時と空調機の名称とが対応付けられた情報、および、消費電力量と消費電力量を計測した日時と空調機の名称とが対応付けられた情報）のうち、イベントの内容を示す情報と消費電力量とを、日時（タイミング）に従って対応付けて、コントローラ６のディスプレイに表示する。これにより、ユーザは、空調機２ａ，２ｂの消費電力量がどのイベントによりどの程度変動したかを確認することができる。
【００３５】
イベント入力部１８は、演算制御部１７の入力端子に接続されている。イベント入力部１８は、例えばキーボードである。空調機２ａ（或いは空調機２ｂ）にイベントが発生し、発生したイベントの内容を示す情報がユーザにより入力されている間、イベント入力部１８は、入力された情報を受け付ける（取得する）。
【００３６】
なお、空調機２ａ（或いは空調機２ｂ）に発生する可能性のあるイベントが予め限定されている場合、イベント入力部１８を、イベントの内容に対応付けられた押しボタン式のスイッチにしてもよい。この場合、演算制御部１７は、ボタンが押されると、押されたボタンに対応するイベントの内容をＲＯＭに記憶された対応テーブル（ボタンとイベントの内容とが対応付けられたテーブル）から特定する。そして、演算制御部１７は、特定したイベントの内容を示す情報とボタンが押された日時（入力の日時）と空調機の名称とを対応付けて、対応付けた情報（生成した情報）を、記憶部１９に記憶すると共に、通信部２２を介して、コントローラ６へ送信する。
【００３７】
記憶部１９は、演算制御部１７の入力端子に接続されている。記憶部１９は、例えば、フラッシュメモリである。記憶部１９は、イベント入力部１８を用いてユーザにより入力されたイベントの内容を示す情報と入力の日時と空調機の名称とが対応付けられた情報、および、消費電力量と消費電力量を計測した日時と空調機の名称とが対応付けられた情報を記憶する。
【００３８】
計時部２０は、演算制御部１７の入力端子に接続されている。計時部２０は、カレンダー機能と時刻を計時する機能とを備えている。
【００３９】
演算制御部１７の入出力端子に接続される絶縁回路２１は、通信部２２の入出力端子に接続されている。絶縁回路２１は、通信部２２を、電源部１３から供給される電源から絶縁する（言い換えれば、三相交流電源から絶縁する）ための回路である。絶縁回路２１は、例えばフォトカプラである。
【００４０】
通信部２２は、例えば通信ドライバ等により構成される。通信部２２は、絶縁回路２１に接続されると共に、制御用伝送線３に接続されている。制御用伝送線３を伝送してきた、コントローラ６からの操作信号は、通信部２２および絶縁回路２１を伝送して、演算制御部１７に入力される。制御用伝送線３を伝送する信号や情報は、制御用伝送線３上のプロトコルによって決定されているデータフォーマット（送信先アドレス、送信元アドレス、コマンドおよびオペランド等が含まれるフォーマット）に対応している。このため、演算制御部１７に操作信号が入力されると、演算制御部１７は、送信先アドレスのフィールドを参照し、送信先アドレスが自機に割り当てられたアドレスであった場合、コマンド等が格納されたフィールドを参照する。一方、送信先アドレスが自機に割り当てられたアドレスでなかった場合、演算制御部１７は、操作信号を破棄する。
【００４１】
なお、自機のアドレスは、演算制御部１７のＲＯＭに記憶されている。演算制御部１７は、電力計測装置１の電源が投入されると、ＲＯＭに記憶されたアドレスを読み込むことで、自機に割り当てられたアドレスを認識する。
【００４２】
また、演算制御部１７が送信する情報、具体的には、イベント入力部１８を用いてユーザにより入力されたイベントの内容を示す情報と入力の日時と空調機の名称とが対応付けられた情報、および、消費電力量と消費電力量を計測した日時と空調機の名称とが対応付けられた情報は、絶縁回路２１および通信部２２を伝送して、制御用伝送線３を伝送した後、コントローラ６で受信される。なお、情報送信時、演算制御部１７は、制御用伝送線３上のプロトコルに従い、ＣＳＭＡ／ＣＤ（Carrier Sense Multiple Access with Collision Detection）等のアクセス制御を実行する。
【００４３】
給電部２３は、通信部２２に接続されると共に、制御用伝送線３に接続される。給電部２３は、例えばＤＣ−ＤＣコンバータ等より構成される。給電部２３は、制御用伝送線３に印加されている直流電圧から、通信部２２の動作電源になる直流電力を生成し、生成した直流電力を通信部２２に供給する。給電部２３により供給される直流電力によって通信部２２は動作する。
【００４４】
制御用伝送線３を介して電力計測装置１に接続され、空調機２のユーザによる操作を媒介するコントローラ６は、図３に示すように、電源部３１と、入力部３２と、記憶部３３と、計時部３４と、演算制御部３５と、表示部３６と、絶縁回路３７と、通信部３８と、給電部３９と、を備えている。
【００４５】
電源部３１は、例えば商用電源から供給される交流電力を用いて直流電力を生成し、生成した直流電力を各部３２〜３６に供給する。電源部３１は、例えば、整流ダイオードとＤＣ−ＤＣコンバータにより構成される。
【００４６】
入力部３２は、演算制御部３５の入力端子に接続されている。入力部３２は、例えばキーボードである。ユーザによる入力部３２の操作により、空調機２ａ（或いは空調機２ｂ）の動作を変更する指示（例えば、現在の消費電力量よりも少ない消費電力量を実現する省エネ動作への変更や、空調機２ａ（或いは空調機２ｂ）の動作を制御する制御基板５のコンピュータのプログラムの変更の指示）等を行うことができる。この指示が行われると、演算制御部３５は、指示の内容を示す情報の入力をユーザに促す画面を、即ち、イベントの内容を示す情報（変更の内容を示す情報）の入力をユーザに促す画面を、表示部３６に表示する。そして、発生したイベントの内容を示す情報がユーザにより入力されている間、入力部３２は、入力された情報を受け付ける（取得する）。受け付けが完了すると、演算制御部３５は、入力されたイベントの内容を示す情報を、計時部３４で計時されている日時（入力のタイミング）および空調機の名称に対応付けて、対応付けた情報（生成した情報）を、記憶部３３に記憶する。
【００４７】
記憶部３３は、演算制御部３５の入力端子に接続されている。記憶部３３は、例えば、フラッシュメモリである。記憶部３３は、入力部３２を用いてユーザにより入力されたイベントの内容を示す情報と入力の日時と空調機の名称とが対応付けられた情報を記憶する。また、記憶部３３は、空調機２ａ，２ｂのそれぞれに設けられた電力計測装置１から送信された情報、具体的には、イベント入力部１８を用いてユーザにより入力されたイベントの内容を示す情報と入力の日時と空調機の名称とが対応付けられた情報、および、消費電力量と消費電力量を計測した日時と空調機の名称とが対応付けられた情報を、記憶する。
【００４８】
計時部３４は、演算制御部３５の入力端子に接続されている。計時部３４は、カレンダー機能と時刻を計時する機能とを備えている。
【００４９】
演算制御部３５は、２つの入力端子がそれぞれ、入力部３２と計時部３４とに接続され、２つの入出力端子がそれぞれ、記憶部３３と絶縁回路３７とに接続され、１つの出力端子が表示部３６に接続されている。
【００５０】
演算制御部３５は、ユーザによる空調機２ａ（或いは、空調機２ｂ）の操作が入力部３２で受け付けられると、操作に応じた操作信号を生成し、その操作信号を、絶縁回路３７および通信部３８を介して、空調機２ａ，２ｂの制御基板５へ出力する。
【００５１】
また、演算制御部３５は、例えば５分毎に、絶縁回路３７および通信部３８を介して、要求コマンドを、空調機２ａ，２ｂのそれぞれに設けられた電力計測装置１へ送信する。各電力計測装置１は、この要求コマンドを受信すると、電力計測装置１の記憶部１９に記憶された情報のうち、消費電力量と消費電力量を計測した日時と空調機の名称とが対応付けられた情報を、コントローラ６へ送信する。演算制御部３５は、この情報を受信すると、受信した情報を、記憶部３３に記憶する。
【００５２】
また、演算制御部３５は、電力計測装置１の記憶部１９に記憶された情報のうち、空調機２ａ（或いは空調機２ｂ）に発生したイベントの内容を示す情報と入力の日時と空調機の名称とが対応付けられた情報を電力計測装置１から受信すると、この情報を、記憶部３３に記憶する。
【００５３】
更に、演算制御部３５は、ユーザによる操作により、空調機２ａ（或いは、空調機２ｂ）の動作を変更する指示がユーザにより行われ、イベントの内容を示す情報（変更の内容を示す情報）がユーザによって入力されると、入力されたイベントの内容を示す情報を、計時部３４で計時されている日時（入力のタイミング）および空調機の名称に対応付けて、対応付けた情報を、記憶部３３に記憶する。
【００５４】
また、演算制御部３５は、記憶部３３に記憶された情報の表示の指示が入力部３２を介してユーザにより行われた場合、記憶部３３に記憶された情報を読み出し、読み出した情報を画面へ加工して、表示部３６に表示する。
【００５５】
具体的には、演算制御部３５は、電力計測装置１で計測された消費電力量と電力計測装置１から送信されたイベントの内容を示す情報と入力部３２により入力されたイベントの内容を示す情報とを読み出し、それらの情報を、日時（各タイミング）に従って対応付ける。そして、演算制御部３５は、対応付けられた各情報を画面へ加工して、表示部３６に表示する。
【００５６】
表示部３６に表示される画面は、例えば、図４に示すように、空調機２ａの消費電力量の推移と空調機２ｂの消費電力量の推移を表す。
【００５７】
ここで、表示部３６の画面には、２０日の１０時３５分に空調機２ａの動作を省エネ動作へ変更したことを示す情報が表示され、更に、２０日の１４時１０分に空調機２ａを洗浄したことを示す情報が表示されている。一方、空調機２ｂについては、表示部３６の画面には、何らかのイベントが発生したことは表示されていない。
【００５８】
この表示部３６の画面により、ユーザは、例えば、省エネ動作への変更によって、空調機２ａの消費電力量が約１ＫＷ・ｈ低減することや、空調機２ａの洗浄によって、空調機２ａの消費電力量が約０．５ＫＷ・ｈ低減することを把握することができる。
【００５９】
このように、コントローラ６は、空調機２ａに発生したイベントの内容を示す情報を、日時に従って空調機２ａの消費電力量に対応付ける。そして、コントローラ６は、空調機２ａに発生したイベントの内容を示す情報を、空調機２ａの消費電力量の推移と共に表示する。よって、ユーザは、空調機２ａ（或いは空調機２ｂ）の消費電力量がどのイベントによりどの程度変動したかを確認することができる。
【００６０】
図３に示す表示部３６は、例えば、液晶ディスプレイである。表示部３６は、前述の通り、例えば、図４に示す画面を表示する。
【００６１】
絶縁回路３７は、演算制御部３５に接続されると共に、通信部３８に接続されている。絶縁回路３７は、電源部３１から出力される直流電源から通信部３８を絶縁するための回路である。絶縁回路３７は、例えばフォトカプラである。
【００６２】
通信部３８は、絶縁回路３７に接続されると共に、制御用伝送線３に接続されている。通信部３８は、例えば通信ドライバ等により構成される。通信部３８は、給電部３９により供給される直流電力により動作する。
【００６３】
給電部３９は、通信部３８に接続されると共に、制御用伝送線３に接続される。給電部３９は、例えばＤＣ−ＤＣコンバータ等より構成される。給電部３９は、制御用伝送線３に印加されている直流電圧から、通信部３８の動作電源になる直流電力を生成し、生成した直流電力を通信部３８へ出力する。
【００６４】
上述した通り、実施の形態１の電力計測装置１は、空調機２ａ，２ｂの消費電力量の推移を示す情報に加え、空調機２ａ，２ｂに発生したイベントの内容を示す情報を、日時を示す情報と共に、コントローラ６へ送信する。これにより、コントローラ６は、イベントの内容を示す情報を、消費電力量の推移に対応付けて、表示部３６に表示することができる。よって、ユーザは、空調機２ａ（或いは空調機２ｂ）の消費電力量がどのイベントによりどの程度変動したかを確認することができる。このようにして、電力計測装置１は、空調機２ａ，２ｂの消費電力量の変動の要因の把握を容易にする。
【００６５】
（実施の形態２）
次に、本発明の実施の形態２に係る電力計測システム２００を、図５および図６を参照して説明する。電力計測システム２００は、空調機２ａを使用し（空調機２ｂを使用せず）、電力計測装置１を電力計測装置４０へ変更し、表示装置５０を新たに設けたものである。よって、図５および図６では、電力計測装置４０および表示装置５０の説明に留める。また、電力計測装置４０は、電力計測装置１と同一の構成には同一の番号を付している。よって、電力計測装置１と同一の構成の説明は省略する。
【００６６】
電力計測システム２００は、図５に示すように、引込み線７を介して電力線４に接続される空調機２ａと、空調機２ａのユーザによる操作を媒介するコントローラ６と、表示装置５０と、を有している。
【００６７】
空調機２ａに内蔵される電力計測装置４０は、ＵＳＢ（Universal Serial Bus）ケーブル５１を介して、表示装置５０に接続されている。これにより、電力計測装置４０は、表示装置５０との通信が可能である。
【００６８】
この電力計測装置４０は、図６に示すように、実施の形態１の電力計測装置１と同一の構成である、電源部１３と、電圧部１４と、電流部１５と、Ａ／Ｄ変換部１６と、イベント入力部１８と、記憶部１９と、計時部２０と、絶縁回路２１と、を備えている。また、電力計測装置４０は、電力計測装置１と異なる構成である、演算制御部６１と、通信部６２と、を備えている。なお、電力計測装置４０は、電力計測装置１が有する供給部２３を備えていない。
【００６９】
演算制御部６１は、電力計測装置１の演算制御部１７と同一の接続である。
【００７０】
演算制御部６１は、電力計測装置１の演算制御部１７と同様、空調機２ａの消費電力量を計測し、計測した消費電力量を、消費電力量を計測した日時と空調機の名称とに対応付けて記憶部１９に記憶する。そして、演算制御部６１は、電力計測装置１の演算制御部１７と同様、記憶部１９に記憶した情報（消費電力量と消費電力量を計測した日時と空調機の名称とを対応付けた情報）を、表示装置５０から送信される要求コマンドに応じて、表示装置５０へ送信する。
【００７１】
また、演算制御部６１は、電力計測装置１の演算制御部１７と同様、空調機２ａに発生したイベントの内容を示す情報の入力が、イベント入力部１８を介してユーザにより行われた場合、入力されたイベントの内容を示す情報を、計時部２０で計時されている日時および空調機の名称に対応付けて、記憶部１９に記憶する。このとき、演算制御部６１は、電力計測装置１の演算制御部１７とは異なり、この対応付けた情報を、表示装置５０へ送信しない。このため、演算制御部６１は、記憶部１９に記憶した情報（イベントの内容を示す情報と内容の入力の日時と空調機の名称とを対応付けた情報）を、表示装置５０から送信される要求コマンドに応じて、表示装置５０へ送信する。
【００７２】
また、演算制御部６１は、電力計測装置１の演算制御部１７とは異なる次の動作を行う。即ち、演算制御部６１は、空調機２ａの動作の変更が入力部３２（図３参照）を介してユーザにより指示されることで空調機２ａにイベントが発生し、そのイベントの内容を示す情報および空調機の名称が表示装置５０から送信されると、それらを受信する。そして、演算制御部６１は、受信したイベントの内容を示す情報および空調機の名称を、計時部２０で計時されている日時（入力のタイミング）に対応付け、対応付けた情報を、記憶部１９に記憶する。なお、演算制御部６１は、記憶部１９に記憶した情報（受信したイベントの内容を示す情報と入力の日時と空調機の名称とを対応付けた情報）を、表示装置５０から送信される要求コマンドに応じて、表示装置５０へ送信する。
【００７３】
通信部６２は、ＵＳＢ通信用のインターフェイスである。通信部６２は、絶縁回路２１に接続されると共に、ＵＳＢケーブル５１に接続されている。通信部６２は、ＵＳＢケーブル５１に印加されている直流電力により動作する。通信部６２は、表示装置５０から送信された要求コマンドの受信や記憶部１９に記憶された情報の送信を行う。
【００７４】
表示装置５０は、例えば、パーソナルコンピュータである。表示装置５０は、例えばキーボードを入力装置として有し、例えば液晶ディスプレイをモニタとして有し、更に、例えばハードディスクドライブを記憶装置として有している。表示装置５０は、電力計測装置４０の記憶部１９に記憶された情報の表示の指示がキーボードを介してユーザにより行われた場合、記憶部１９に記憶された情報の表示装置５０への送信を要求する要求コマンドを、ＵＳＢケーブル５１を介して電力計測装置４０へ送信する。
【００７５】
電力計測装置４０は、要求コマンドを受信すると、記憶部１９に記憶された情報を読み出し、読み出した情報を、ＵＳＢケーブル５１を介して表示装置５０へ送信する。具体的には、電力計測装置４０は、記憶部１９から、次の情報、即ち、電力計測装置４０で計測された消費電力量と消費電力量を計測した日時と空調機の名称とを対応付けた情報、イベント入力部１８により入力されたイベントの内容を示す情報と入力の日時と空調機の名称とが対応付けられた情報、および、受信したイベントの内容を示す情報と入力の日時と空調機の名称とが対応付けられた情報を読み出し、読み出した情報を、表示装置５０へ送信する。
【００７６】
表示装置５０は、電力計測装置４０が読み出した情報を受信すると、受信した情報を画面に加工して、例えば液晶ディスプレイに表示する。具体的には、表示装置５０は、電力計測装置４０で計測された消費電力量とイベント入力部１８により入力されたイベントの内容を示す情報と表示装置５０により入力されたイベントの内容を示す情報とを、日時（各タイミング）に従って対応付ける。そして、表示装置５０は、対応付けられた各情報を画面へ加工して、例えば液晶ディスプレイに表示する。
【００７７】
液晶ディスプレイに表示される画面には、例えば、図４に示した空調機２ａの消費電力量の推移、イベントの内容を示す情報および日時が含まれる。
【００７８】
上述した通り、実施の形態２の電力計測装置４０は、ＵＳＢケーブル５１を介して、記憶部１９に記憶された情報を、表示装置５０へ送信する。これにより、表示装置５０は、イベントの内容を示す情報を、消費電力量の推移に対応付けて、例えば液晶ディスプレイに表示することができる。よって、ユーザは、空調機２ａの消費電力量がどのイベントによりどの程度変動したかを確認することができる。このようにして、電力計測装置４０は、空調機２ａの消費電力量の変動の要因の把握を容易にする。
【００７９】
以上、本発明の実施の形態を説明したが、この発明は上記の実施の形態に限定されず、種々の変形および応用が可能である。
【００８０】
例えば、各実施の形態の電力計測装置１，４０は、三相交流電源から供給される電力の消費量を求めることで、空調機２ａ，２ｂの消費電力量を計測したが、これに限られるものではない。即ち、空調機２ａ，２ｂが三相４線式電源を使用する場合、電力計測装置１，４０は、三相４線式電源から供給される電力の消費量を求めることで、空調機２ａ，２ｂの消費電力量を計測してもよい。この場合、次の構成にすればよい。即ち、電圧部１４の電圧端子を１つ増やし、その電圧端子と三相４線式電源のＮ相に接続された引込み線とを接続する。そして、電圧部１４が、各相（Ｒ相，Ｓ相，Ｔ相）の相電圧を計測する構成にする。また、電流部１５の電流用導線を１つ増やし、その電流用導線に接続されたカレントトランスを引込み線７ｂの外周に設置する。そして、電流部１５が、引込み線７ｂから空調機２ａ（或いは空調機２ｂ）に流れ込む電流（消費電流）ＩＳを計測する構成にすればよい。この構成により計測されたＲ相，Ｓ相，Ｔ相の相電圧と、電流ＩＲ，ＩＴ，ＩＴとから、電力計測装置１，４０は、三相４線式電源から供給される電力の消費量を求めればよい。この構成により、電力計測装置１，４０は、三相４線式電源から空調機２ａ，２ｂに電力が供給される場合でも、空調機２ａ，２ｂの消費電力量を計測することができる。
【００８１】
また、空調機２ａ，２ｂが商用電源を使用する場合、電力計測装置１，４０は、商用電源から供給される電力の消費量を求めることで、空調機２ａ，２ｂの消費電力量を計測してもよい。この場合、次の構成にすればよい。即ち、電圧部１４の電圧端子を１つ減らす。そして、電圧部１４が、２線間電圧を計測する構成にする。また、電流部１５の電流用導線を１つ減らす。そして、電流部１５が、２線のうちの１線に接続された引込み線から空調機２ａ（或いは空調機２ｂ）に流れ込む電流（消費電流）を計測する構成にすればよい。この構成により計測された２線間電圧と、空調機２ａ（或いは空調機２ｂ）に流れ込む電流に流れ込む電流とから、電力計測装置１，４０は、商用電源から供給される電力の消費量を求めればよい。この構成により、電力計測装置１，４０は、商用電源から空調機２ａ，２ｂに電力が供給される場合でも、空調機２ａ，２ｂの消費電力量を計測することができる。
【００８２】
また、各実施の形態の電力計測装置１，４０は、例えば液晶ディスプレイを有してもよい。この場合、記憶部１９に記憶された情報を液晶ディスプレイに表示する指示がイベント入力部１８を介してユーザにより行われた場合、電力計測装置１，４０は、記憶部１９に記憶された情報を読み出し、消費電力量とイベント入力部１８により入力されたイベントの内容を示す情報とを、日時（各タイミング）に従って対応付ける。そして、電力計測装置１，４０は、対応付けられた各情報を画面へ加工して、例えば液晶ディスプレイに表示すればよい。この構成により、空調機２ａ，２ｂの設置位置付近でも、ユーザは、記憶部１９に記憶された情報を確認することができる。また、この構成の場合、実施の形態１の電力計測装置１は、コントローラ６の記憶部３３に記憶された情報を受信し、記憶部１９に記憶する構成にしてもよい。これを実現する場合、次の構成にすればよい。即ち、実施の形態１のコントローラ６は、イベントの内容を示す情報と入力の日時と空調機の名称とが対応付けられた情報の記憶部３３への記憶の際、対応付けられた情報を、電力計測装置１へ送信する構成にする。そして、電力計測装置１は、コントローラ６から送信された情報（対応付けられた情報）を受信すると、受信した情報を、記憶部１９に記憶する構成にすればよい。
【００８３】
また、実施の形態１の電力計測装置１では、空調機２ａ（或いは空調機２ｂ）に発生したイベントの内容を示す情報の入力が、イベント入力部１８を介してユーザにより行われた場合、入力されたイベントの内容を示す情報を、計時部２０で計時されている日時および空調機の名称に対応付けて、記憶部１９に記憶すると共に、対応付けた情報を、通信部２２を介してコントローラ６へ送信したが、これに限られるものではない。即ち、電力計測装置１は、対応付けた情報の記憶部１９への記憶の際、対応付けた情報を、記憶部１９に記憶する一方で、コントローラ６へ送信しない構成にしてもよい。この構成の場合、電力計測装置１は、記憶部１９に記憶された情報（対応付けた情報）を、コントローラ６から定期的に送信される要求コマンドに応じて、消費電力量と消費電力量を計測した日時と空調機の名称とを対応付けた情報（記憶部１９に記憶された情報）と共に、コントローラ６へ送信すればよい。
【００８４】
また、実施の形態２の電力計測装置４０と表示装置５０とは、ＵＳＢ方式による通信を行ったが、これに限られるものではない。即ち、電力計測装置４０と表示装置５０とは、例えばＲＳ−２３２ＣやＲＳ−４８５といった方式による通信を行ってもよいし、光ファイバーを媒体とする光通信を行ってもよい。
【００８５】
また、実施の形態２の表示装置５０は、空調機２ａに発生したイベントの内容を示す情報を、空調機２ａの消費電力量の推移および日時に対応付けて例えば液晶ディスプレイに表示したが、これに限られるものではない。即ち、表示装置５０は、空調機２ａに発生したイベントの内容を示す情報、空調機２ａの消費電力量の推移および日時を、例えば液晶ディスプレイに表示することなく、例えば表示装置５０に接続されているプリンターを利用して紙に印刷（表示）してもよい。このような印刷（表示）によっても、ユーザは、空調機２ａの消費電力量がイベントの発生によってどのように変動したかを確認することができる。
【００８６】
なお、上記の実施の形態において、演算制御部１７，３５，６１で実行されるプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、演算制御部１７，３５，６１と同様な制御を行う装置を構成してもよい。
【００８７】
また、上述のプログラムをインターネット等の通信ネットワーク上の所定のサーバ装置が有するディスク装置等に格納しておき、例えば、搬送波に重畳させて、ダウンロード等するようにしてもよい。
【００８８】
また、上述の、演算制御部１７，３５，６１で実行されるプログラムを、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【００８９】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、上述した実施の形態ではなく、請求の範囲によって示される。そして、請求の範囲内およびそれと同等の発明の意義の範囲内で施される様々な変形が、本発明の範囲内とみなされる。
【符号の説明】
【００９０】
１，４０                    電力計測装置
２                          空調機
３                          制御用伝送線
４                          電力線
５                          制御基板
６                          コントローラ
７                          引込み線
１１                        電圧用導線
１２                        電流用導線
１３，３１                  電源部
１４                        電圧部
１５                        電流部
１６                        Ａ／Ｄ変換部
１７，３５，６１            演算制御部
１８                        イベント入力部
１９，３３                  記憶部
２０，３４                  計時部
２１，３７                  絶縁回路
２２，３８，６２            通信部
２３，３９                  給電部
３２                        入力部
３６                        表示部
５０                        表示装置
５１                        ＵＳＢケーブル
１００，２００              電力計測システム
【図１】
0005656914.tif 000002
【図２】
0005656914.tif 000003
【図３】
0005656914.tif 000004
【図４】
0005656914.tif 000005
【図５】
0005656914.tif 000006
【図６】
0005656914.tif 000007